(57)【特許請求の範囲】
【請求項１】
受金と中心接触片を有するねじ込み式凹ソケットにおいて、
前記受金は、複数のリング状の電極部と、該複数のリング状の電極部の間に配置された絶縁体とから構成され、前記電極部と前記絶縁体の内周面に雌ネジが形成され、
前記電極部と前記絶縁体とを互いに嵌合する嵌合部を有し、前記電極部と前記絶縁体とは該嵌合部を介して接続されていることを特徴とするねじ込み式凹ソケット。
【請求項２】
口金と中心端子を有するねじ込み式凸ソケットにおいて、
前記口金は、複数のリング状の電極部と、該複数のリング状の電極部の間に配置された絶縁体とから構成され、前記電極部と前記絶縁体の外周面に雄ネジが形成され、
前記電極部と前記絶縁体とを互いに嵌合する嵌合部を有し、前記電極部と前記絶縁体とは該嵌合部を介して接続されていることを特徴とするねじ込み式凸ソケット。
【請求項３】
受金と中心接触片を有する凹ソケットと、口金と中心端子を有する凸ソケットとを備えるねじ込み式コネクタにおいて、
前記受金は、複数のリング状の第１の電極部と、該複数のリング状の第１の電極部の間に配置された第１の絶縁体とから構成され、前記第１の電極部と前記第１の絶縁体の内周面に雌ネジが形成され、
前記口金は、複数のリング状の第２の電極部と、該複数のリング状の第２の電極部の間に配置された第２の絶縁体から構成され、前記第２の電極部と前記第２の絶縁体の外周面に前記雌ネジと螺合可能な雄ネジが形成され、
前記第１の電極部と前記第１の絶縁体とを互いに嵌合する嵌合部を有し、前記第１の電極部と前記第１の絶縁体とは該嵌合部を介して接続され、
前記第２の電極部と前記第２の絶縁体とを互いに嵌合する嵌合部を有し、前記第２の電極部と前記第２の絶縁体とは該嵌合部を介して接続されていることを特徴とするねじ込み式コネクタ。
【請求項４】
前記第１の絶縁体の幅を前記第２の電極部の幅より大きくすると共に、前記第２の絶縁体の幅を前記第１の電極部の幅より大きくし、かつ前記凹ソケットにおいて、内側の上部に位置する前記中心接触片側に前記第１の電極部を介して配置される前記第１の絶縁体の下端から前記中心接触片までの距離をＳ１とし、前記凸ソケットにおいて、上部に位置する前記中心端子に隣接する第２電極部の下端から前記中心端子の上端面までの距離をＳ２とする場合、Ｓ１＞Ｓ２とすることを特徴とする請求項３に記載のねじ込み式コネクタ。
【請求項５】
複数のリング状の電極部と、該複数のリング状の電極部の間に配置された絶縁体とから構成され、前記電極部と前記絶縁体の外周面に雄ネジが形成される口金および中心端子を有する凸ソケットと、複数の負荷とを備え、
前記複数のリング状の電極部と前記中心端子との間に、それぞれ前記複数の負荷のうち所定の負荷が接続され、
前記電極部と前記絶縁体とを互いに嵌合する嵌合部を有し、前記電極部と前記絶縁体とは該嵌合部を介して接続されることを特徴とする照明器具。
【請求項６】
複数のリング状の第１の電極部と、該複数のリング状の第１の電極部の間に配置された第１の絶縁体とから構成され、前記第１の電極部と前記第１の絶縁体の内周面に雌ネジが形成される受金と、中心接触片とを有するねじ込み式凹ソケットと、
複数のリング状の第２の電極部と、該複数のリング状の第２の電極部の間に配置された第２の絶縁体から構成され、前記第２の電極部と前記第２の絶縁体の外周面に前記雌ネジと螺合可能な雄ネジが形成される口金および中心端子を有する凸ソケットと、複数の負荷とを備え、前記複数のリング状の第２の電極部と前記中心端子との間に、それぞれ前記複数の負荷のうち所定の負荷が接続される照明器具と、
電力を前記ねじ込み式凹ソケットの複数のリング状の第１の電極部へそれぞれ供給する電源部とを備え、
前記第１の電極部と前記第１の絶縁体とを互いに嵌合する嵌合部を有し、前記第１の電極部と前記第１の絶縁体とは該嵌合部を介して接続され、
前記第２の電極部と前記第２の絶縁体とを互いに嵌合する嵌合部を有し、前記第２の電極部と前記第２の絶縁体とは該嵌合部を介して接続されていることを特徴とする照明装置。
【請求項７】
前記第１の絶縁体の幅を前記第２の電極部の幅より大きくすると共に、前記第２の絶縁体の幅を前記第１の電極部の幅より大きくし、かつ前記凹ソケットにおいて、内側の上部に位置する前記中心接触片側に前記第１の電極部を介して配置される前記第１の絶縁体の下端から前記中心接触片までの距離をＳ１とし、前記凸ソケットにおいて、上部に位置する前記中心端子に隣接する第２電極部の下端から前記中心端子の上端面までの距離をＳ２とする場合、Ｓ１＞Ｓ２とすることを特徴とする請求項６に記載の照明装置。
【発明の詳細な説明】
【技術分野】
【０００１】
本発明は、ねじ込み式凹ソケット、ねじ込み式凸ソケット、ねじ込み式コネクタ、照明器具および照明装置に関するものである。
【背景技術】
【０００２】
従来、白熱灯、電球形蛍光灯には、ねじ込み式ソケットが用いられるのが一般的である。図１０は、従来のねじ込み式凸ソケットの構成を示す図である。図１１は、従来のねじ込み式凹ソケットの構成を示す図である。
【０００３】
図１０に示すように、従来のねじ込み式凸ソケット６０は、中心端子６１と、口金６３とを備える。口金６３の外周面に雄ネジが形成される。また、中心端子６１と口金６３との間に絶縁部６２が設けられている。白熱灯、電球形蛍光灯等ランプの場合は、口金６３の一端にガラス球６４が設けられる（図９において、省略したものを示している）。
【０００４】
また、図１１に示すように、従来のねじ込み式凹ソケット７０は、絶縁物からなる外郭７１と、中心接触片７３と、受金７４とを備える。受金７４の内周面に雌ネジが形成される。また、受金７４は、外郭７１の内部に配置される。外郭７１の上部に接続用の端子７２Ａ，７２Ｂが設けられている。
【０００５】
また、従来、三極口金を有する三極ランプが提案されている（特許文献１参照）。
【０００６】
特許文献１に開示された三極ランプは、差し込み式多極ソケットを用いるものであり、ガスが封入されるガラス球と、このガラス球の端部を閉塞するとともに、ガラス球の軸方向に沿って連接される第１口金部と第２口金部とを備えた三極口金とを有する。
【０００７】
【特許文献１】特願平１１−１２６５８４号
【発明の開示】
【発明が解決しようとする課題】
【０００８】
しかし、上述した従来のねじ込み式凸ソケット６０およびねじ込み式凹ソケット７０の場合は、二極のみである。そのため、例えば、白熱灯、電球形蛍光灯等ランプの場合は、この二極間のフィラメントが蒸発して断線すれば、修復が不可能であることから、ランプは使用不能となるという問題点があった。
【０００９】
また、上述した従来の三極ランプの場合は、ソケットは差し込み式であり、広く普及されているねじ込み式のソケットに比べて装着方法がわかりづらいという欠点があった。
例えば、差し込む時に凸ソケットと凹ソケットの回転位置を確認の上で装着する必要があるため、凹ソケットが灯体の奥の方にある形状の器具の場合、凸ソケットが装着しづらいという問題があった。
【００１０】
また、上述した従来の三極ランプの場合は、ランプ側の凸ソケットのみが三極であり、凹ソケット側は二極であるため、複数の負荷がそれぞれ異なる回路に接続され、それぞれ制御されることができないという欠点があった。
【００１１】
そこで、本発明は、上述のような問題点を考慮してなされたもので、３以上の電極を有し、手軽にかつ確実に装着することができるねじ込み式凹ソケット、ねじ込み式凸ソケット、ねじ込み式コネクタ、照明器具および照明装置を提供することを目的とする。
【課題を解決するための手段】
【００１２】
上記課題を解決するため、本発明に係るねじ込み式凹ソケットは、特許請求の範囲の請求項１に記載の手段を採用する。
【００１３】
即ち、請求項１に記載のように、受金と中心接触片を有するねじ込み式凹ソケットにおいて、前記受金は、複数のリング状の電極部と、該複数のリング状の電極部の間に配置された絶縁体とから構成され、前記電極部と前記絶縁体の内周面に雌ネジが形成され、前記電極部と前記絶縁体とを互いに嵌合する嵌合部を有し、前記電極部と前記絶縁体とは該嵌合部を介して接続されていることを特徴とする。
【００１４】
上記課題を解決するため、本発明に係るねじ込み式凸ソケットは、特許請求の範囲の請求項２に記載の手段を採用する。
【００１５】
即ち、請求項２に記載のように、口金と中心端子を有するねじ込み式凸ソケットにおいて、前記口金は、複数のリング状の電極部と、該複数のリング状の電極部の間に配置された絶縁体とから構成され、前記電極部と前記絶縁体の外周面に雄ネジが形成され、前記電極部と前記絶縁体とを互いに嵌合する嵌合部を有し、前記電極部と前記絶縁体とは該嵌合部を介して接続されていることを特徴とする。
【００１６】
本発明に係るねじ込み式コネクタは、特許請求の範囲の請求項３に記載の手段を採用する。
【００１７】
即ち、請求項３に記載のように、受金と中心接触片を有する凹ソケットと、口金と中心端子を有する凸ソケットとを備えるねじ込み式コネクタにおいて、前記受金は、複数のリング状の第１の電極部と、該複数のリング状の第１の電極部の間に配置された第１の絶縁体とから構成され、前記第１の電極部と前記第１の絶縁体の内周面に雌ネジが形成され、前記口金は、複数のリング状の第２の電極部と、該複数のリング状の第２の電極部の間に配置された第２の絶縁体から構成され、前記第２の電極部と前記第２の絶縁体の外周面に前記雌ネジと螺合可能な雄ネジが形成され、前記第１の電極部と前記第１の絶縁体とを互いに嵌合する嵌合部を有し、前記第１の電極部と前記第１の絶縁体とは該嵌合部を介して接続され、前記第２の電極部と前記第２の絶縁体とを互いに嵌合する嵌合部を有し、前記第２の電極部と前記第２の絶縁体とは該嵌合部を介して接続されていることを特徴とする。
【００１８】
本発明に係る照明器具は、請求の範囲の請求項５に記載の手段を採用する。
即ち、請求項５に記載のように、複数のリング状の電極部と、該複数のリング状の電極部の間に配置された絶縁体とから構成され、前記電極部と前記絶縁体の外周面に雄ネジが形成される口金および中心端子を有する凸ソケットと、複数の負荷とを備え、前記複数のリング状の電極部と前記中心端子との間に、それぞれ前記複数の負荷のうち所定の負荷が接続され、前記電極部と前記絶縁体とを互いに嵌合する嵌合部を有し、前記電極部と前記絶縁体とは該嵌合部を介して接続されることを特徴とする。
【００１９】
本発明に係る照明装置は、請求の範囲の請求項６に記載の手段を採用する。
即ち、請求項６に記載のように、複数のリング状の第１の電極部と、該複数のリング状の第１の電極部の間に配置された第１の絶縁体とから構成され、前記第１の電極部と前記第１の絶縁体の内周面に雌ネジが形成される受金と、中心接触片とを有するねじ込み式凹ソケットと、複数のリング状の第２の電極部と、該複数のリング状の第２の電極部の間に配置された第２の絶縁体から構成され、前記第２の電極部と前記第２の絶縁体の外周面に前記雌ネジと螺合可能な雄ネジが形成される口金および中心端子を有する凸ソケットと、複数の負荷とを備え、前記複数のリング状の第２の電極部と前記中心端子との間に、それぞれ前記複数の負荷のうち所定の負荷が接続される照明器具と、電力を前記ねじ込み式凹ソケットの複数のリング状の第１の電極部へそれぞれ供給する電源部とを備え、前記第１の電極部と前記第１の絶縁体とを互いに嵌合する嵌合部を有し、前記第１の電極部と前記第１の絶縁体とは該嵌合部を介して接続され、前記第２の電極部と前記第２の絶縁体とを互いに嵌合する嵌合部を有し、前記第２の電極部と前記第２の絶縁体とは該嵌合部を介して接続されていることを特徴とする。
【発明の効果】
【００２０】
請求項１に記載の発明においては、３以上の電極を有するねじ込み式凹ソケットを形成することができ、同じ極数のねじ込み式凸ソケットが手軽にかつ確実に装着することができる。
【００２１】
請求項２に記載の発明においては、３以上の電極を有するねじ込み式凸ソケットを形成することができ、同じ極数のねじ込み式凹ソケットに手軽にかつ確実に装着することができる。
【００２２】
請求項３に記載の発明においては、３以上の電極を有するねじ込み式コネクタを形成することができ、同じ極数のねじ込み式凸ソケットとねじ込み式凹ソケットが手軽にかつ確実に装着することができる。
【００２３】
請求項５に記載の発明においては、３以上の電極を有するねじ込み式凸ソケットを有するため、複数の負荷が異なる回路を構成することができ、例えば、負荷がフィラメントである場合、１つのフィラメントが蒸発して断線しても、照明器具、即ちランプが続けて使用可能である。
【００２４】
請求項６に記載の発明においては、３以上の電極を有するねじ込み式コネクタを用いるため、複数の負荷が異なる回路を構成することができ、かつそれぞれ制御されることができる。
【発明を実施するための最良の形態】
【００２５】
本発明に係るねじ込み式凹ソケット、ねじ込み式凸ソケット、ねじ込み式コネクタ、照明器具および照明装置を実施するための最良の形態を、図を参照して説明する。
【００２６】
まず、本発明の第１の実施の形態のねじ込み式凹ソケット、ねじ込み式凸ソケット、ねじ込み式コネクタ、照明器具および照明装置について説明する。
【００２７】
図１は、第１の実施の形態の照明装置１００を示す図である。図２は、本発明に係るねじ込み式凸ソケット１０の構成を示す図である。図３は、ねじ込み式凸ソケット１０の構成を示す局部拡大断面図である。図４は、本発明に係るねじ込み式凹ソケット３０の構成を示す図である。
【００２８】
図１に示すように、照明装置１００は、ねじ込み式凸ソケット１０と負荷部２０とからなる照明器具（ランプ）と、ねじ込み式凹ソケット３０と、電源部５０とを備える。ねじ込み式凸ソケット１０をねじ込み式凹ソケット３０にねじ込み装着することができる。
【００２９】
ねじ込み式凸ソケット１０とねじ込み式凹ソケット３０とが螺合されたとき、電極１１部と電極部３３とが電気的に接続され、また、電極部１３と電極部３４とが電気的に接続され、また、電極部１５と電極部３６とが電気的に接続される。
【００３０】
また、電源５１と、電源５２は、それぞれ端子３２Ｂと、端子３２Ｃに接続されており、端子３２Ｂと端子３２Ａ間、端子３２Ｃと端子３２Ａ間に電力を供給する。これにより、負荷Ａ２２と負荷Ｂ２３はそれぞれ異なる回路に接続される。
【００３１】
負荷Ａ２２と負荷Ｂ２３は、フィラメントまたは発光ダイオードである。
【００３２】
また、図２に示すように、ねじ込み式凸ソケット１０は、２つのリング状の電極部１３，１５と、その間に配置された絶縁体１４とから構成される口金と、中心端子１１とを備える。口金の外周面、即ち電極部１３，１５および絶縁体１４の外周面に雄ネジが形成される。また、中心端子１１と電極部１３との間に絶縁部１２が設けられている。
【００３３】
また、図３に示すように、電極部１３の下部に嵌合部１３ａが設けられている。嵌合部１３ａの外径は絶縁体１４の内径に嵌入できるように形成され、この嵌合部１３ａを絶縁体１４の上部内周面に嵌入することで、電極部１３と絶縁体１４とが接続される。また、絶縁体１４の下部に嵌合部１４ａが設けられている。嵌合部１４ａの外径は電極部１５の内径に嵌入できるように形成され、この嵌合部１４ａを電極部１５の上端内周面に嵌入することで、電極部１５と絶縁体１４とが接続される。なお、電極部１３と絶縁体１４との接続方法、電極部１５と絶縁体１４との接続方法は、これに限定されるものではない。他の接続方法を用いてもよい。
【００３４】
また、図４に示すように、ねじ込み式凹ソケット３０は、絶縁物からなる外郭３１と、２つのリング状の電極部３４，３６と、その間に配置された絶縁体３５とから構成される受金と、中心接触片３３とを備える。受金の内周面、即ち電極部３４，３６および絶縁体３５の内周面に雌ネジが形成される。絶縁体３５の上部に嵌合部３５ａが設けられ、嵌合部３５ａの内径は電極部３４を嵌入できるように形成されている。また、電極部３６の上部に嵌合部３６ａが設けられている。嵌合部３６ａの内径は絶縁体３５の下部を嵌入できるように形成されている。また、電極部３４，３６と絶縁体３５とから構成される受金は、外郭３１の内部に配置される。外郭３１の上部に接続用の端子３２Ａ，３２Ｂ，３２Ｃが設けられている。
【００３５】
また、端子３２Ａは中心接触片３３に電気的に接続され、端子３２Ｂは電極部３４に電気的に接続され、端子３２Ｃは電極部３６に電気的に接続されている。
【００３６】
また、ここで、絶縁体３５の幅をｔ１とし、電極部３６の幅をＴ２とし、絶縁体３５の下端から中心接触片３３までの距離をＳ１とする。
【００３７】
図５は、電極部および絶縁体の幅寸法関係を示す概略図である。図５（ａ）はねじ込み式凹ソケット３０の寸法を示す図であり、図５（ｂ）はねじ込み式凸ソケット１０の寸法を示す図である。図６は、ねじ込み式凸ソケット１０が螺合する際の位置関係を示す図である。
【００３８】
図５（ａ）に示すように、電極部３４の幅をＴ１とし、絶縁体３５の幅をｔ１とし、電極部３６の幅をＴ２とし、かつ絶縁体３５の下端から中心接触片３３までの距離をＳ１とする。
【００３９】
図５（ｂ）に示すように、電極部１３の幅をＴ３とし、絶縁体１４の幅をｔ２とし、電極部１５の幅をＴ４とし、かつ電極部１３の下端から中心端子１１の上端面までの距離をＳ２とする。
【００４０】
ここで、ｔ１＞Ｔ３とし、ｔ２＞Ｔ２とし、Ｓ１＞Ｓ２とする。これにより、図６に示すように、それぞれの電極の同時接続を防ぎ、通電中にねじ込み式凸ソケットの付け外しを行うことが可能である。
【００４１】
このように本実施の形態において、ねじ込み式凸ソケット１０は、２つのリング状の電極部１３，１５と、その間に配置された絶縁体１４とから構成される口金と、中心端子１１とを備え、口金の外周面、即ち電極部１３，１５および絶縁体１４の外周面に雄ネジが形成される。また、ねじ込み式凹ソケット３０は、絶縁物からなる外郭３１と、２つのリング状の電極部３４，３６と、その間に配置された絶縁体３５とから構成される受金と、中心接触片３３とを備える、受金の内周面、即ち電極部３４，３６および絶縁体３５の内周面に雌ネジが形成される。
【００４２】
また、ねじ込み式コネクタは、ねじ込み式凸ソケット１０とおよびねじ込み式凹ソケット３０を用いたものである。また、照明器具は、ねじ込み式凸ソケット１０と負荷部２０とからなるのである。
【００４３】
これにより、３極のねじ込み式コネクタを形成することができ、同じ極数のねじ込み式凸ソケットとねじ込み式凹ソケットが手軽にかつ確実に装着することができる。
【００４４】
また、電極部の幅および絶縁体の幅については、ｔ１＞Ｔ３とし、ｔ２＞Ｔ２とし、Ｓ１＞Ｓ２とすることで、それぞれの電極の同時接続を防ぎ、通電中にねじ込み式凸ソケットの付け外しを行うことができる。
【００４５】
また、３極ねじ込み式凸ソケットを有する照明器具において、例えば、負荷がフィラメントである場合、１つのフィラメントが蒸発して断線しても、照明器具、即ち、ランプが続けて使用可能である。
また、照明装置においては、複数の負荷が異なる回路を構成することができ、かつそれぞれ制御されることができる。
【００４６】
以下、本発明の第２の実施の形態のねじ込み式凹ソケット、ねじ込み式凸ソケット、ねじ込み式コネクタおよび照明器具について説明する。
【００４７】
図７は、第２の実施の形態の照明装置２００の構成を示す図である。図８は、本発明に係るねじ込み式凸ソケット１０Ａの構成を示す図である。図９は、本発明に係るねじ込み式凹ソケット３０Ａの構成を示す図である。
【００４８】
図７に示すように、照明装置２００は、ねじ込み式凸ソケット１０Ａと負荷部２０Ａとからなる照明器具（ランプ）と、ねじ込み式凹ソケット３０Ａと、電源部５０Ａとを備える。ねじ込み式凸ソケット１０Ａをねじ込み式凹ソケット３０Ａにねじ込み装着することができる。
【００４９】
ねじ込み式凸ソケット１０Ａとねじ込み式凹ソケット３０Ａとが螺合されたとき、電極１１部と電極部３３とが電気的に接続され、また、電極部１３と電極部３４とが電気的に接続され、また、電極部１５と電極部３６とが電気的に接続され、電極部１７と電極部３８とが電気的に接続される。
【００５０】
また、電源５０Ａは、スイッチ５３，５４，５５を介して、それぞれ端子３２Ｂ、端子３２Ｃ、端子３２Ｄに接続されており、端子３２Ｂと端子３２Ａ間、端子３２Ｃと端子３２Ａ間、端子３２Ｄと端子３２Ａ間に電力を供給する。これにより、負荷Ａ２２、負荷Ｂ２３、および負荷Ｃ２４とはそれぞれ異なる回路に接続される。
【００５１】
負荷Ａ２２、負荷Ｂ２３、および負荷Ｃ２４は、フィラメントまたは発光ダイオードである。発光ダイオードを用いる場合は、負荷Ａ２２、負荷Ｂ２３、および負荷Ｃ２４はそれぞれ異なる色とされる。これにより、照明器具（ランプ）の点灯色を制御することができる。
【００５２】
また、図８に示すように、ねじ込み式凸ソケット１０Ａは、３つのリング状の電極部１３，１５，１７と、その間に配置された絶縁体１４，１６とから構成される口金と、中心端子１１とを備える、口金の外周面、即ち電極部１３，１５，１７および絶縁体１４，１６の外周面に雄ネジが形成される。また、中心端子１１と電極部１３との間に絶縁部１２が設けられている。
【００５３】
また、上述したねじ込み式凸ソケット１０と同様に、電極部１３の下部に設けられた嵌合部１３ａを絶縁体１４の上部内周面に嵌入することで、電極部１３と絶縁体１４とが接続される。また、絶縁体１４の下部に設けられた嵌合部１４ａを電極部１５の上部内周面に嵌入することで、電極部１５と絶縁体１４とが接続される（図３参照）。また同様に、電極部１７と絶縁体１６とは、絶縁体１６の下部に設けられた嵌合部を電極部１７の上部内周面に嵌入することによって接続される。なお、各電極部と絶縁体との接続方法は、これに限定されるものではない。
【００５４】
また、図９に示すように、ねじ込み式凹ソケット３０Ａは、絶縁物からなる外郭３１と、３つのリング状の電極部３４，３６，３８と、その間に配置された絶縁体３５，３７とから構成される受金と、中心接触片３３とを備える、受金の外周面、即ち電極部３４，３６，３８および絶縁体３５，３７の内周面に雌ネジが形成される。また、電極部３４，３６，３８と絶縁体３５，３７とから構成される受金は、外郭３１の内部に配置される。外郭３１の上部に接続用の端子３２Ａ，３２Ｂ，３２Ｃ，３２Ｄが設けられている。
【００５５】
また、端子３２Ａは中心接触片３３に電気的に接続され、端子３２Ｂは電極部３４に電気的に接続され、端子３２Ｃは電極部３６に電気的に接続され、端子３２Ｄは電極部３８に電気的に接続されている。
【００５６】
また、各電極部および絶縁体の幅を上述したねじ込み式凸ソケット１０、ねじ込み式凹ソケット３０のように所定値にすることで、それぞれの電極の同時接続を防ぎ、通電中にねじ込み式凸ソケットの付け外しを行うことが可能である。
【００５７】
このように本実施の形態において、ねじ込み式凸ソケット１０Ａは、３つのリング状の電極部１３，１５，１７と、その間に配置された絶縁体１４，１６とから構成される口金と、中心端子１１とを備え、口金の外周面に雄ネジが形成される。また、ねじ込み式凹ソケット３０Ａは、絶縁物からなる外郭３１と、３つのリング状の電極部３４，３６，３８と、その間に配置された絶縁体３５，３７とから構成される受金と、中心接触片３３とを備える、受金の内周面に雌ネジが形成される。
【００５８】
また、ねじ込み式コネクタは、ねじ込み式凸ソケット１０Ａとおよびねじ込み式凹ソケット３０Ａを用いたものである。また、照明器具は、ねじ込み式凸ソケット１０Ａと負荷部２０Ａとからなるのである。
【００５９】
これにより、４極のねじ込み式コネクタを形成することができ、同じ極数のねじ込み式凸ソケットとねじ込み式凹ソケットが手軽にかつ確実に装着することができる。
【００６０】
また、４極ねじ込み式凸ソケットを有する照明器具を用いた照明装置において、例えば、負荷がフィラメントである場合、１つのフィラメントが蒸発して断線しても、照明器具、即ち、ランプが続けて使用可能である。
また、照明装置においては、複数の負荷が異なる回路を構成することができ、かつそれぞれ制御されることができる。
【００６１】
また、各電極部および絶縁体の幅を所定値にすることで、それぞれの電極の同時接続を防ぎ、通電中にねじ込み式凸ソケットの付け外しを行うことができる。
【００６２】
なお、上述実施の形態においては、３極、４極のねじ込み式凸ソケット１０，１０Ａ、ねじ込み式凹ソケット３０，３０Ａ、ねじ込み式コネクタ、および照明器具について説明したが、これに限定されるものではない。５極以上の場合にもこの発明を適用できる。
【産業上の利用可能性】
【００６３】
この発明は、３以上の電極を有するねじ込み式凹ソケット、ねじ込み式凸ソケット、ねじ込み式コネクタ、照明器具および照明装置が必要とされる場合に利用できる。
【図面の簡単な説明】
【００６４】
【図１】第１の実施の形態の照明装置１００を示す図である。
【図２】ねじ込み式凸ソケット１０の構成を示す図である。
【図３】ねじ込み式凸ソケット１０の構成を示す局部拡大断面図である。
【図４】ねじ込み式凹ソケット３０の構成を示す図である。
【図５】電極部および絶縁体の幅寸法関係を示す概略図である。
【図６】ねじ込み式凸ソケット１０が螺合する際の位置関係を示す図である。
【図７】第２の実施の形態の照明装置２００を示す図である。
【図８】ねじ込み式凸ソケット１０Ａの構成を示す図である。
【図９】ねじ込み式凹ソケット３０Ａの構成を示す図である。
【図１０】従来のねじ込み式凸ソケット６０の構成を示す図である。
【図１１】従来のねじ込み式凹ソケット７０の構成を示す図である。
【符号の説明】
【００６５】
１０，１０Ａ  ねじ込み式凸ソケット
１１  中心端子
１２  絶縁部
１３，１５，１７  電極部
１４，１６  絶縁体
２０，２０Ａ  負荷部
２１  ガラス球
２２  負荷Ａ
２３  負荷Ｂ
２４  負荷Ｃ
３０，３０Ａ  ねじ込み式凹ソケット
３１  外郭
３２Ａ，３２Ｂ，３２Ｃ，３２Ｄ  端子
３３  中心接触片
３４，３６，３８  電極部
３５，３７  絶縁体
５０，５０Ａ  電源部
５１，電源Ａ
５２  電源Ｂ
５３，５４，５５  スイッチ
１００，２００  照明装置
【図１】
0004689512.tif 000002
【図２】
0004689512.tif 000003
【図３】
0004689512.tif 000004
【図４】
0004689512.tif 000005
【図５】
0004689512.tif 000006
【図６】
0004689512.tif 000007
【図７】
0004689512.tif 000008
【図８】
0004689512.tif 000009
【図９】
0004689512.tif 000010
【図１０】
0004689512.tif 000011
【図１１】
0004689512.tif 000012